(57)【特許請求の範囲】
【請求項１】
上端に、ロック解除押しボタン装置付引掛シーリングキャップ（以下、単にロック付引掛キャップという。）を設け、下端に、引掛シーリングボディ（以下、単に引掛ボディという。）を設け、前記ロック付引掛キャップから前記引掛ボディまでを長手の外筒で連結して前記外筒内を前記ロック付引掛キャップから前記引掛ボディまでコードで電気接続した連結体を設けて、使用者が床上に立って前記連結体下端を手で握って上げ、天井配線器具の１対の引掛穴に前記連結体上端の１対の引掛爪を引掛けたのち、前記連結体下端に天井直付け用のシーリングライトを引掛けることにより、天井直付け用のシーリングライトを天井吊り下げのペンダントライトとして使用できるようにすると共に、前記連結体上端のロック解除ボタンを手で押圧して前記天井配線器具から前記連結体を取りはずすことができるようにした電気接続器具において、前記ロック付引掛キャップを形成するものが、上面開口の円形箱状物と、これに直結する短筒状物とからなり、前記円形箱状物が、リング状側壁と円形の底壁とを設け、前記底壁に設けたロック解除押しボタン装置が、上板と押しボタン係止開口板と３側板と前記底壁の一部を切り欠いた底壁下開口を閉じるための底蓋板とからなる箱状物（以下、単にロック箱という。）に収容されて、箱内に押しボタン形成体と、前記上板のロック棒通し穴に嵌入したロック棒と前記ロック棒を下支持した巻コイルバネを嵌入した縦穴を設けたロック棒収容形成体とを設けて、前記押しボタン形成体の斜面と前記ロック棒収容形成体の斜面とが当接してスライドして、前記押しボタン形成体の押圧により前記ロック棒が前記上板のロック棒通し穴から没入してロックを軽い押圧力で解除するものを前記底壁の下開口から収容すると共に、前記押しボタン係止開口板が前記押しボタン形成体を前記巻コイルバネのバネ力により飛び出るのを係止できるようにしてなり、前記側壁の一部を切り欠いた側壁開口部から前記押しボタン形成体の押圧部分を突出できるようにし、前記底壁下開口を開閉するための底蓋板をねじ止めできるようにし、前記短筒状物が前記外筒前部に内嵌して止着できるようにしたことを特徴とした電気接続器具。
【請求項２】
前記外筒後部に筒部とフランジ部とからなるフランジ筒を設けて、前記フランジ筒の筒部を前記外筒後部に内嵌して止着したことを特徴とした請求項１記載の電気接続器具。
【請求項３】
前記ロック付引掛キャップを形成するものの押しボタン形成体の突出した押圧面に、押圧できるように先端を形成した押圧棒を備えて、前記連結体上端の１対の引掛爪を前記天井配線器具から取りはずすときは、前記連結体下端の前記天井直付け用のシーリングライトを取りはずしたのち、前記押圧棒を一方の手で握って上げて、前記押しボタン形成体の押圧面に押圧すると共に、他方の手を上げて、前記連結体の下端を握って前記連結体上端の引掛爪を取りはずし方向に回動して、前記連結体上端の前記引掛爪を取りはずすことができるようにしたことを特徴とした請求項１又は請求項２記載の電気接続器具。
【請求項４】
前記ロック付引掛キャップを形成するものの押しボタン形成体の押圧面に永久磁石を取りつけると共に、磁性片を先端に設けた押圧棒を備えて、前記連結体上端の１対の引掛爪を前記天井配線器具から取りはずすときは、前記連結体下端の前記天井直付け用のシーリングライトを取りはずしたのち、前記押圧面の永久磁石に磁着する磁性片を先端に取りつけた前記押圧棒を一方の手で握って上げて、前記磁性片を前記押しボタン形成体の押圧面の永久磁石に磁着させて押圧すると共に、他方の手を上げて、前記連結体の下端を握って前記連結体上端の引掛爪を取りはずし方向に回動して、前記連結体上端の前記引掛爪を取りはずすことができるようにしたことを特徴とした請求項１又は請求項２記載の電気接続器具。
【発明の詳細な説明】
【技術分野】
【０００１】
本発明は、天井直付け用の照明器具として使用されているシーリングライトを天井吊り下げペンダントライトに使用するための電気接続器具に関する。
【背景技術】
【０００２】
ＬＥＤ（Light Emitting Diode）を使用した天井直付けのシーリングライトは、機能の向上が著しく、軽量化されて、節電できると共に、かなりの便利さを消費者に与えている。しかし、天井直付け方式のため、部屋対応の定格光束だけでは、使用様態（例えば読書、製図等）によって使用者は明るさが不足する場合があり、また、高齢者、女性、身体障害者等では、シーリングライトの天井への取付け、交換等はかなり困難であった。
本発明者は、天井直付け用のシーリングライトを誰でも天井に吊す作業が安全容易にでき、室内の明るさと節電をさらに向上させるため、天井直付け用のシーリングライトを天井吊り下げのペンダントライトとして使用する電気接続器具を開発することに成功したが、「ロック付引掛シーリングキャップ」が角型のものに限定された上に、ロックを解除するためには、ロック解除押しボタンを天井近くでかなり強く手押しして天井配線器具から１対の引掛爪を取りはずす必要があり、高齢者、女性、身体障害者等では負担が大きかった。
そこで、本発明者は、ロック解除押しボタン装置が、押しボタン形成体とロック棒収容形成体との当接斜面をスライドして行われる方式のものが、前記角形の引掛シーリングキャップのロック解除押しボタン装置に比べて極めて軽い押圧力で操作できることに着目して、床上に立って一方の片手でボタン押圧のための長柄の押圧棒を挙げてロック解除押しボタンを押圧すると同時に、他方の片手で本発明電気接続器具を介してロック付引掛シーリングキャップの引掛爪を回動して天井配線器具から取りはずすことに成功し、上記問題点を解決することに成功した。
【先行技術文献】
【特許文献】
【０００３】
【特許文献１】特許第５７３６６２８号公報
【特許文献２】特開平０９−０９２０２１号公報
【発明の概要】
【発明が解決しようとする課題】
【０００４】
本発明は、天井直付け用のシーリングライトを天井吊り下げペンダントライトとして使用して、デザイン性がよく、明るい照明と節電ができるようにした、電気接続器具を提供するものである。
また、本発明は、使用者が、床上に立って器具下端を手で握って上げれば、天井に設置されている配線器具に、器具上端を安全に引掛けて、器具下端に迅速容易に天井直付け用のシーリングライトを天井吊り下げペンダントライトとして取り付けができるようにすると共に、ロック解除による取りはずしをするときも、床上に立ってできるようにした、電気接続器具を提供するものである。
さらに、本発明は、構造簡単で、安価に製作できる、電気接続器具を提供するものである。
【課題を解決するための手段】
【０００５】
本発明の電気接続器具は、上記課題を達成するため、図示するように、請求項１の発明は、上端に、ロック解除押しボタン装置付引掛シーリングキャップ（以下、単にロック付引掛キャップという。）を設け、下端に、引掛シーリングボディ（以下、単に引掛ボディという。）を設け、前記ロック付引掛キャップから前記引掛ボディまでを長手の外筒で連結して前記外筒内を前記ロック付引掛キャップから前記引掛ボディまでコードで電気接続した連結体を設けて、使用者が床上に立って前記連結体下端を手で握って上げ、天井配線器具の１対の引掛穴に前記連結体上端の１対の引掛爪を引掛けたのち、前記連結体下端に天井直付け用のシーリングライトを引掛けることにより、天井直付け用のシーリングライトを天井吊り下げのペンダントライトとして使用できるようにすると共に、前記連結体上端のロック解除ボタンを手で押圧して前記天井配線器具から前記連結体を取りはずすことができるようにした電気接続器具において、前記ロック付引掛キャップを形成するものが、上面開口の円形箱状物と、これに直結する短筒状物とからなり、前記円形箱状物が、リング状側壁と円形の底壁とを設け、前記底壁に設けたロック解除押しボタン装置が、上板と押しボタン係止開口板と３側板と前記底壁の一部を切り欠いた底壁下開口を閉じるための底蓋板とからなる箱状物（以下、単にロック箱という。）に収容されて、箱内に押しボタン形成体と、前記上板のロック棒通し穴に嵌入したロック棒と前記ロック棒を下支持した巻コイルバネを嵌入した縦穴を設けたロック棒収容形成体とを設けて、前記押しボタン形成体の斜面と前記ロック棒収容形成体の斜面とが当接してスライドして、前記押しボタン形成体の押圧により前記ロック棒が前記上板のロック棒通し穴から没入してロックを軽い押圧力で解除するものを前記底壁の下開口から収容すると共に、前記押しボタン係止開口板が前記押しボタン形成体を前記巻コイルバネのバネ力により飛び出るのを係止できるようにしてなり、前記側壁の一部を切り欠いた側壁開口部から前記押しボタン形成体の押圧部分を突出できるようにし、前記底壁下開口を開閉するための底蓋板をねじ止めできるようにし、前記短筒状物が前記外筒前部に内嵌して止着できるようにしたものである。
また、本発明の電気接続器具は、上記課題を達成するため、図示するように、請求項２の発明は、請求項１の発明において、前記外筒後部に筒部とフランジ部とからなるフランジ筒を設けて、前記フランジ筒の筒部を前記外筒後部に内嵌して止着したものである。
また、本発明の電気接続器具は、上記課題を達成するため、図示するように、請求項３の発明は、請求項１又は請求項２の発明において、前記ロック付引掛キャップを形成するものの押しボタン形成体の突出した押圧面に、押圧できるように先端を形成した押圧棒を備えて、前記連結体上端の１対の引掛爪を前記天井配線器具から取りはずすときは、前記連結体下端の前記天井直付け用のシーリングライトを取りはずしたのち、前記押圧棒を一方の手で握って上げて、前記押しボタン形成体の押圧面に押圧すると共に、他方の手を上げて、前記連結体の下端を握って前記連結体上端の引掛爪を取りはずし方向に回動して、前記連結体上端の前記引掛爪を取りはずすことができるようにしたものである。
また、本発明の電気接続器具は、上記課題を達成するため、図示するように、請求項４の発明は、請求項１又は請求項２の発明において、前記ロック付引掛キャップを形成するものの押しボタン形成体の押圧面に永久磁石を取りつけると共に、磁性片を先端に設けた押圧棒を備えて、前記連結体上端の１対の引掛爪を前記天井配線器具から取りはずすときは、前記連結体下端の前記天井直付け用のシーリングライトを取りはずしたのち、前記押圧面の永久磁石に磁着する磁性片を先端に取りつけた前記押圧棒を一方の手で握って上げて、前記磁性片を前記押しボタン形成体の押圧面の永久磁石に磁着させて押圧すると共に、他方の手を上げて、前記連結体の下端を握って前記連結体上端の引掛爪を取りはずし方向に回動して、前記連結体上端の前記引掛爪を取りはずすことができるようにしたものである。
【発明の効果】
【０００６】
本発明の電気接続器具は、上端に１対の引掛爪を設け、下端に１対の引掛穴を設けた長手の把手状であるので、使用者が床上に立って、本発明器具の下端を手で握って上げれば、天井に設置されている天井配線器具に、安全かつ容易に、本発明器具上端を引掛けてロックして電気接続でき、次いで、本発明器具の下端の引掛穴に、市販の天井直付け用のシーリングライトのアダプタの１対の引掛爪を引掛けて電気接続すれば、天井直付け用のシーリングライトを天井吊り下げペンダントライトとして迅速容易に使用することができる。本発明は、定格光束の市販の天井直付け用のシーリングライトを天井吊り下げペンダントライトとして使用できるので、明るく照明できると共に節電でき、また、従来のペンダントライトに比べ、吊り下げコードが露出せず、また天井配線器具に対し、特許第５６６０５１２号、特許第５７３３６７４号、特許第５７３６６２８号各公報にみられるように、角形引掛シーリングキャップを取りつけたときに比べ、円形の段落を設けたスマートでデラックスな外観が加わる。また、従来のペンダントライトに比べて防塵性、防虫性が大きい。また、本発明は、製作簡単で安価につき、今後、シーリングライト形のペンダントライトの発展に寄与できる。さらに、ロック付引掛キャップのロック解除手段も、床上に立ってできる特別効果を加えることができた。すなはち、ロック付引掛キャップの従来のロック解除押しボタン装置は、天井配線器具の近くに配置されている押しボタンをかなり強く手押ししなければならなかったので、高齢者、婦人、年少者には負担が大きかった。本発明では、ペンダントライトとして使用したシーリングライトを本発明器具の下端から取りはずしたのち、床上に立って手を挙げて、一方の手に、長柄の押圧棒を握って、前記押圧棒の先端部をロック解除押しボタンに軽く押しつけると同時に、他方の手に本発明器具下端を握って、上端の１対の引掛爪を取りはずし方向に回すことにより、使用者は床に立ったまま天井配線器具の１対の引掛穴から１対の引掛爪を軽い力で簡単容易に取りはずすことができることになった。
【図面の簡単な説明】
【０００７】
【図１−１】本発明の実施例を正面図的に示した全体概略説明図である。
【図１−２】図１−１を左側面図的に示した全体概略説明図である。
【図１−３】図１−１を平面図的に示した概略説明図である。
【図１−４】図１−１のロック付引掛キャップを底面図的に示した概略説明図である。
【図１−５】図１−４をロック箱の開閉蓋を除いて底面図的に示した概略説明図である。
【図１−６−１】図１−５のロック箱内のロック解除押しボタン装置の主要機構を示した概略説明図である。
【図１−６−２】図１−６−１の別の概略説明図である。
【図１−７−１】ロック箱内のロック解除押しボタン装置概略説明図である。
【図１−７−２】図１−７−１の別の概略説明図である。
【図１−８】図１−１を底面図的に示した概略説明図である。
【図１−９−１】本発明器具の使用状態例の概略説明図である。
【図１−９−２】図１−９−１の使用状態例の別の概略説明図である。
【図１−９−３】本発明器具の別の使用状態例を示した概略説明図である。
【図１−９−４】図１−９−３に使用した押圧棒の概略説明図である。
【図１−９−５】図１−９−３の別の使用状態例を示した概略説明図である。
【図１−９−６】別の押圧棒の概略説明図である。
【図１−９−７】図１−９−６の使用状態概略説明図である。
【図１−９−８】図１−９−６の別の使用状態概略説明図である。
【発明を実施するための形態】
【０００８】
本発明電気接続器具の実施例１が、以下の記述と図面に示されている。
【実施例１】
【０００９】
本発明器具の実施例１が、図１−１、図１−２、図１−３、図１−４、図１−５、図１−６−１、図１−６−２、図１−７−１、図１−７−２、図１−８、図１−９−１、図１−９−２、図１−９−３、図１−９−４、図１−９−５、図１−９−６、図１−９−７及び図１−９−８に示されている。
図１−１乃至図１−９−８の本発明器具は、上面開口の円形箱状物から形成されるロック付引掛キャップ１０と、これに直結する短筒状物５１（１）とから形成するもの５０（１）と、前記ロック付引掛キャップを形成するもの５０（１）の短筒状物５１（１）に内嵌して第１ねじ３１１により前部を止着し、後記フランジ筒６０（１）の筒部６１（１）に内嵌して第２ねじ３１２により後部を止着した外筒３０と、フランジ筒６０（１）のフランジ部６３（１）とねじ６２１（１）を介してフランジ筒６０（１）に固着した丸型引掛ボディ２０（２）と、前記ロック付引掛キャップ１０から、前記丸型引掛ボディ２０（２）までを電気接続するコード４０とを備えている。前述した第１ねじ３１１及び第２ねじ３１２を使用する代わりに、接着剤を使用してもよい。また、両者を併用してもよい。前記ロック付引掛キャップを形成するもの５０（１）のうち、図１−３に示すように、円形箱状物から形成されるロック付引掛キャップ１０は、リング状側壁１１と円形の底壁１２とを設けて、底壁１２には、１対の引掛爪１０１を立設した爪板１０２が台座（図示しない）に設けられてねじ１０２１によって固着されると共に、コード４０からコード通し穴１３を介して、引出線４１１が圧縮端子１０２３を介して連結したねじ１０２２により止着されている。また、ロック解除押しボタン装置１５を設けたロック箱１６を底壁１２に設けている。前記円形箱状物から形成されるロック付引掛キャップ１０に直結する短筒状物５１（１）は、外筒３０前部に内嵌すると共に、内穴５１０（１）はコード４０の通し穴を形成している。
フランジ筒６０（１）は、筒部６１（１）を介して外筒３０の後部に内嵌すると共に、フランジ部６３（１）に１個のコード通し穴６３０（１）と１対のねじ通し孔６３１（１）とを設けて、コード通し穴６３０（１）は前記丸型引掛ボディ２０（２）にコードを挿着し、各ねじ通し孔６３１（１）は前記丸型引掛ボディ２０（２）の１対のねじ通し孔２３（２）を介して１対のねじ６２１（１）により、フランジ筒６０（１）と前記丸型引掛ボディ２０（２）とを固着している。
ロック箱１６は、図１−１、図１−２、図１−３、図１−４、図１−５、図１−６−１、図１−６−２、図１−７−１及び図１−７−２に示すように、上板１６１、３側壁１６２、１６３、１６４、押しボタン係止開口板１６６、底壁１２の下開口１２０を閉じるための底蓋板１６５からなる箱状物に前記底壁下開口１２０から押しボタン形成体１５１と、前記上板１６１のロック棒通し穴１６０に嵌入したロック棒１４を設けたロック棒形成体１５２とロック棒形成体１５２の縦穴１５２０に嵌入した巻コイルバネ１５２１とを、押しボタン形成体１５１の斜面１５１２とロック棒形成体１５２の斜面１５２３とがスライドできるように当接すると共に巻コイルバネ１５２１を底蓋板１６５を介してロック箱に収納し、前記押しボタン係止開口板１６６が前記押しボタン形成体１５１を前記巻コイルバネのバネ力により飛び出ることを係止できるようにし、側壁１１の開口部１１１を介して前記押しボタン形成体１５１を突出させ押しボタン形成体１５１の押圧によりロック棒１４が上板１６１のロック棒通し穴１６０から没入してロックが解除できるように形成している。
底蓋板１６５は１対のねじ１６５１により蓋閉めされる。
丸型引掛ボディ２０（２）は、公知のもので、図１−８は底面図を示し、１対のボルト付ねじ６２１（１）の挿入穴２３（２）と１対の引掛穴２４（２）を示し、その他の詳細説明は省略する。
ロック付引掛キャップ１０から丸型引掛ボディ２０（２）まで電気接続するコード４０は、ロック付引掛キャップ１０から、底壁１２のコード通し穴１３、短筒状物５１（１）の内穴５１０（１）、外筒３０の内穴３１、フランジ筒６０（１）の内穴６１０（１）、及びフランジ部６３（１）のコード通し穴６３０（１）を介して丸型引掛ボディ２０（２）に電気接続される。
従って、本発明器具は、ロック付引掛キャップを形成するもの５０（１）、外筒３０、フランジ筒６０（１）、丸型引掛ボディ２０（２）、コード４０とから連結体１が形成されるので、床上に立って、図１−９−１、図１−９−２に示すように、連結体１の下端を手で握って上げ、天井配線器具７０の１対の引掛穴（図示しない）に、連結体１の上端の１対の引掛爪１０１を引掛けたのち、連結体１の下端の１対の引掛穴２４（２）に、天井直付け用のシーリングライト９０を引掛けることにより、天井直付け用のシーリングライト９０を天井吊り下げのペンダントライトとして使用できる。連結体１の上端の引掛爪１０１を天井配線器具７０から取りはずす場合は、本発明器具連結体１の下端からシーリングライト９０を取りはずしたのち、図１−９−３、図１−９−４及び図１−９−５に示すように、ロック付引掛キャップ１０のロック解除押しボタン装置の押圧ボタン１５１に取りつけたネオジム永久磁石１５０に、一方の手を挙げて、先端部に磁性片８１を取りつけた押圧棒８０の下端を握って磁性片８１を磁着した磁石１５０を押圧すると同時に、他方の手を挙げて、連結体１の下端を握って上端の引掛爪１０１を取りはずし方向に回動すれば、前記連結体１のロック解除押しボタン１５を手押しすることなく、立ち姿の使用者が両手を挙げるだけで、天井配線器具７０から連結体１を取りはずすことができる。
【００１０】
また、図１−９−６、図１−９−７、及び図１−９−８に示すように、磁石１５０を取り付けることなく、直接、ロック付引掛キャップ１０の押圧面部１５１に、一方の手を挙げて、押圧棒８０Ｂの下端を握って先端部を押圧すると同時に、他方の手を挙げて、連結体１の下端を握って上端の引掛爪１０１を取りはずし方向に回動すれば、前記連結体１のロック解除押しボタン１５１を手押しすることなく、立ち姿の使用者が両手を挙げるだけで、天井配線器具７０から連結体１を取りはずすこともできる。
【産業上の利用可能性】
【００１１】
本発明器具は、構造簡単、小型軽量、製作容易で量産できる。
【符号の説明】
【００１２】
１                          連結体
１０                        ロック付引掛キャップを形成するものの円形箱状物
１０１                      引掛爪
１１                        側壁
１２                        底壁
１３                        コード通し穴
１４                        ロック棒
１５                        ロック解除押しボタン装置
１６                        ロック箱
１６１                      ロック箱上板
１６２、１６３、１６４      ロック箱３側壁
１６５                      底壁の下開口を開閉するための底蓋板
１６６                      押しボタン係止開口板
１２０                      ロック箱下開口
１５０                      永久磁石
１５１                      押しボタン形成体
１５２                      ロック棒収容形成体
１５２１                    巻コイルバネ
１５１２                    押しボタン形成体の斜面
１５２３                    ロック棒収容形成体の斜面
１６０                      ロック棒通し穴
１６５１                    底蓋板のねじ
２０（２）                  引掛ボディ
３０                        外筒
３１１                      第１ねじ
３１２                      第２ねじ
４０                        コード
５０（１）                  ロック付引掛キャップを形成するもの
５１（１）                  短筒状物
６０（１）                  フランジ筒
６１（１）                  筒部
６３（１）                  フランジ部
７０                        天井配線器具
８０、８０Ｂ                押圧棒
８１、８１Ｂ                先端部
９０                        天井直付け用のシーリングライト
【要約】
【課題】天井直付けシーリングライトを、天井吊下げペンダントライトに使用できる電気接続器具を提供する。
【解決手段】ロック解除押しボタン付引掛シーリングキャップを形成するもの５０（１）と長筒３０とフランジ筒を形成するもの６０（１）と引掛シーリングボディ２０（２）と配線４０とを備えた本発明器具１の下端を手で握って床上に立って持ち上げ、本発明器具１の上端の１対の引掛爪１０１を天井配線器具に引掛けたのち、本発明器具１の下端の１対の引掛穴に、シーリングライト９０を引掛けて、天井吊下げペンダントライトとして明るく節電して使用できると共に、天井から取りはずしたいときは、ロック解除押しボタン１５０を手押ししなくても、床上に立ったまま、押圧棒８０を握って上げてロック解除押しボタン１５０の押し操作ができるようにすると共に、本発明器具１の引掛爪の取りはずしができるようにしたもの。
【選択図】        図１−９−５【図１−１】
0005970652.tif 000002
【図１−２】
0005970652.tif 000003
【図１−３】
0005970652.tif 000004
【図１−４】
0005970652.tif 000005
【図１−５】
0005970652.tif 000006
【図１−６−１】
0005970652.tif 000007
【図１−６−２】
0005970652.tif 000008
【図１−７−１】
0005970652.tif 000009
【図１−７−２】
0005970652.tif 000010
【図１−８】
0005970652.tif 000011
【図１−９−１】
0005970652.tif 000012
【図１−９−２】
0005970652.tif 000013
【図１−９−３】
0005970652.tif 000014
【図１−９−４】
0005970652.tif 000015
【図１−９−５】
0005970652.tif 000016
【図１−９−６】
0005970652.tif 000017
【図１−９−７】
0005970652.tif 000018
【図１−９−８】
0005970652.tif 000019